(57)【要約】      （修正有）【課題】ホスト基板との接続時に、光ファイバ、変換部および回路部に荷重がかかるのを防ぐ光ファイバアッセンブリを提供する。【解決手段】光ファイバアッセンブリは、基板１００、変換部２００、光ファイバ３００、回路部４００、外部接続部５００及び被押圧部とを備えている。基板１００の第１面１１０は第１領域１１１および第２領域１１２を有し、第２面１２０は第１領域１１１の反対側の第３領域１２１および第２領域１１２の反対側の第４領域１２２を有している。変換部２００及び回路部４００は第１領域１１１上に設けられ、電気的に接続されている。光ファイバ３００の第１部３１０は変換部２００に光接続されている。外部接続部５００は第４領域１２２上に設けられている。被押圧部は、変換部２００、光ファイバ３００および回路部４００に対して非接触で第２領域１１２上に位置するように、基板１００に固定されている。【選択図】図２Ａ
2019032383.tif 000002
【特許請求の範囲】
【請求項１】
第１面およびその反対側の第２面を有する基板であって、前記第１面は、互いに異なる第１領域および第２領域を有し、前記第２面は、前記第１領域の反対側の第３領域および前記第２領域の反対側の第４領域を有する前記基板と、
前記基板の前記第１領域上に設けられた光電変換部または電光変換部である変換部と、
前記変換部に光接続された先端部である第１部を有する光ファイバと、
前記基板の前記第１領域上に設けられており且つ前記変換部に電気的に接続された回路部と、
前記基板の前記第４領域上に設けられた外部接続部と、
前記変換部、前記光ファイバおよび前記回路部に対して非接触で、前記基板の前記第２領域上に位置するように、前記基板に直接的または間接的に固定された被押圧部とを備えている光ファイバアッセンブリ。
【請求項２】
請求項１記載の光ファイバアッセンブリにおいて、
前記基板の前記第１領域は、前記基板の前記第２領域に対して第１方向の一方側に位置しており、前記第１方向は、前記基板の前記第１面に対して略平行に延びており、
前記光ファイバは、前記第１部から前記基板の前記第２領域上を通って前記第１方向の他方へ延びた第２部をさらに有しており、
前記被押圧部は、前記基板の前記第２領域上で前記光ファイバの前記第２部を非接触で覆うカバー部と、
前記カバー部から前記基板側へ各々延びており且つ前記光ファイバの前記第２部の両側で当該第２部に対して非接触で前記基板に直接的または間接的に各々固定された一対の脚部とを有する光ファイバアッセンブリ。
【請求項３】
請求項１記載の光ファイバアッセンブリにおいて、
導電性を有するカバーをさらに備えており、
前記基板は、当該基板の第１方向の一方側の部分である第１被取付部と、
当該基板の前記第１被取付部および前記第１領域よりも前記第１方向の他方側に位置する部分である第２被取付部とをさらに有しており、前記第１方向は、前記基板の前記第１面に対して略平行に延びており、
前記カバーは、前記基板の前記第１面の前記第１領域および前記第２領域を覆うと共に、前記変換部、前記光ファイバの前記第１部および前記回路部を覆うカバー本体と、
前記基板の前記第１被取付部に直接的または間接的に固定された第１取付部と、
前記基板の前記第２被取付部に直接的または間接的に固定された第２取付部とを有しており、
前記被押圧部は、前記カバー本体の前記第２領域上の部分および前記第２取付部で構成されている光ファイバアッセンブリ。
【請求項４】
請求項３記載の光ファイバアッセンブリにおいて、
前記第１被取付部は、第２方向の一方側の第１端部と、前記第２方向の他方側の第２端部とを有しており、前記第２方向は、前記第１方向に交差しており、
前記第２被取付部は、前記第２方向の一方側の第１端部と、前記第２方向の他方側の第２端部とを有しており、
前記基板は、一対の第１ストッパーと、一対の第２ストッパーとをさらに有しており、
前記一対の第１ストッパーは、前記第２方向の一方側の一方の第１ストッパーと、前記第２方向の他方側の他方の第１ストッパーとを含み、
前記一方の第１ストッパーは、前記第１被取付部の前記第１端部に対して前記第１方向の他方側に位置し且つ前記第１被取付部の前記第１端部よりも前記第２方向の一方に凸であり、
前記他方の第１ストッパーは、前記第１被取付部の前記第２端部に対して前記第１方向の他方側に位置し且つ前記第１被取付部の前記第２端部よりも前記第２方向の他方に凸であり、
前記一対の第２ストッパーは、前記第２方向の一方側の一方の第２ストッパーと、前記第２方向の他方側の他方の第２ストッパーとを含み、
前記一方の第２ストッパーは、前記第２被取付部の前記第１端部に対して前記第１方向の一方側に位置し且つ前記第２被取付部の前記第１端部よりも前記第２方向の一方に凸であり、
前記他方の第２ストッパーは、前記第２被取付部の前記第２端部に対して前記第１方向の一方側に位置し且つ前記第２被取付部の前記第２端部よりも前記第２方向の他方に凸であり、
前記第１取付部は、前記カバー本体から前記基板側へ延びた一対の第１脚部とを有しており、
前記一対の第１脚部のうちの一方の第１脚部が、前記第２方向の一方側に凸の横向き略Ｕ字状の一方の第１フックを有し、他方の第１脚部が、前記第２方向の他方側に凸の横向き略Ｕ字状の他方の第１フックを有し、
前記一方の第１フックは、前記基板の前記第１被取付部の前記第１端部が嵌合しており且つ前記一方の第１ストッパーに対して前記第１方向の一方側から当接しており、
前記他方の第１フックは、前記基板の前記第１被取付部の前記第２端部が嵌合しており且つ前記他方の第１ストッパーに対して前記第１方向の一方側から当接しており、
前記第２取付部は、前記カバー本体から前記基板側へ延びた一対の第２脚部とを有しており、
前記一対の第２脚部のうちの一方の第２脚部が、前記第２方向の一方側に凸の横向き略Ｕ字状の一方の第２フックを有し、他方の第２脚部が、前記第２方向の他方側に凸の横向き略Ｕ字状の他方の第２フックを有し、
前記一方の第２フックは、前記基板の前記第２被取付部の前記第１端部が嵌合しており且つ前記一方の第２ストッパーに対して前記第１方向の他方側から当接しており、
前記他方の第２フックは、前記基板の前記第２被取付部の前記第２端部が嵌合しており且つ前記他方の第２ストッパーに対して前記第１方向の他方側から当接している光ファイバアッセンブリ。
【請求項５】
請求項１〜４の何れかに記載の光ファイバアッセンブリと、
電子機器とを備えており、
前記光ファイバアッセンブリの前記基板の前記第１面は、第３方向の一方側の面であり、前記光ファイバアッセンブリの前記基板の前記第２面は、前記第３方向の一方側の面であり、前記第３方向は、前記光ファイバアッセンブリの前記基板の厚み方向であり、
前記電子機器は、接続部と、
前記接続部が実装されたホスト基板とを備えており、
前記光ファイバアッセンブリの前記外部接続部が前記第３方向の一方側から前記電子機器の前記接続部内に嵌入または前記電子機器の前記接続部が前記第３方向の他方側から前記光ファイバアッセンブリの前記外部接続部内に嵌入し、これにより前記光ファイバアッセンブリの前記外部接続部が前記電子機器の前記接続部に接続されている光ファイバアッセンブリと電子機器との接続構造。
【発明の詳細な説明】
【技術分野】
【０００１】
本発明は、光ファイバアッセンブリおよび光ファイバアッセンブリと電子機器との接続構造に関する。
【背景技術】
【０００２】
従来の光ファイバアッセンブリが下記特許文献１に記載されている。このアッセンブリは、並列で一体化された複数の光ファイバと、変換部用基板と、複数の変換部と、回路部と、デバイス基板と、外部接続用コネクタと、ケースとを備えている。複数の変換部は、複数の光ファイバの挿入端に対向するように変換部用基板上に一列で設けられている。デバイス基板の表面上には変換部用基板および回路部が実装されており、デバイス基板の裏面上には外部接続用コネクタが実装されている。これらがケース内に収容され、接続用コネクタが当該ケースの底部の開口から露出している。
【０００３】
光ファイバアッセンブリの外部接続用コネクタを、電子機器のホスト基板の相手側コネクタに位置合わせし、その状態で光ファイバアッセンブリがホスト基板側へ押し付ける。これにより、相手側コネクタが外部接続用コネクタ内に嵌合し、光ファイバアッセンブリがホスト基板に接続される。
【先行技術文献】
【特許文献】
【０００４】
【特許文献１】特開２００３−９８３９４号公報
【発明の概要】
【発明が解決しようとする課題】
【０００５】
このように光ファイバアッセンブリを電子機器に接続するとき（接続時）には、光ファイバアッセンブリをホスト基板側へ押し付ける必要があるため、押し付け時の荷重が光ファイバアッセンブリにかかる。
【０００６】
本発明は、上記事情に鑑みて創案されたものであって、その目的とするところは、接続時に、光ファイバ、変換部および回路部に荷重がかかるのを防ぐことができる光ファイバアッセンブリおよび光ファイバアッセンブリと電子機器との接続構造を提供することにある。
【課題を解決するための手段】
【０００７】
上記課題を解決するために、本発明の光ファイバアッセンブリは、基板と、変換部と、光ファイバと、外部接続部と、被押圧部とを備えている。基板は、第１面およびその反対側の第２面を有している。第１面は、互いに異なる第１領域および第２領域を有し、第２面は、第１領域の反対側の第３領域および第２領域の反対側の第４領域を有している。変換部は、光電変換部または電光変換部であって、基板の第１領域上に設けられている。光ファイバは、変換部に光接続された先端部である第１部を有している。回路部は、基板の第１領域上に設けられており且つ変換部に電気的に接続されている。外部接続部は、基板の第４領域上に設けられている。被押圧部は、変換部、光ファイバおよび回路部に対して非接触で、基板の第２領域上に位置するように、基板に直接的または間接的に固定されている。
【０００８】
このような態様の光ファイバアッセンブリによる場合、当該アッセンブリの外部接続部を電子機器のホスト基板に荷重をかけて接続させるとき、基板の第２領域上に位置するように基板に直接的または間接的に固定された被押圧部を押圧することによって、基板を介して第２領域の裏側の外部接続部に接続のための荷重をかけることができるが、変換部、光ファイバの第１部および回路部は基板の第１領域上に位置している上に、被押圧部は変換部、光ファイバおよび回路部に対して非接触であるため、前記押圧により被押圧部にかかる荷重が変換部、光ファイバの第１部および回路部に対してかかることを防ぐことができる。
【０００９】
基板の第１領域は、基板の第２領域に対して第１方向の一方側に位置した構成とすることが可能である。第１方向は基板の第１面に対して略平行に延びていると良い。光ファイバは、第２部をさらに有する構成とすることが可能である。光ファイバの第２部は、第１部から基板の第２領域上を通って第１方向の他方へ延びた構成とすることが可能である。このような態様の光ファイバアッセンブリは、基板の第２領域上が、光ファイバが通る領域となっているので、小型化することが可能になる。
【００１０】
被押圧部は、カバー部と、一対の脚部を有する構成とすることが可能である。被押圧部のカバー部は、基板の第２領域上で光ファイバの第２部を非接触で覆う構成とすることが可能である。被押圧部の脚部は、カバー部から基板側へ各々延びており且つ光ファイバの第２部の両側で当該第２部に対して非接触で基板に直接的または間接的に各々固定された構成とすることが可能である。このような態様の光ファイバアッセンブリによる場合、被押圧部のカバー部および脚部が光ファイバの第２部に対して非接触であるので、被押圧部を押圧するときに、前記押圧により被押圧部にかかる荷重が光ファイバの第２部に対してかかることを防ぐことができる。
【００１１】
上記した何れかの態様の光ファイバアッセンブリは、導電性を有するカバーをさらに備えた構成とすることが可能である。基板は、当該基板の第１方向の一方側の部分である第１被取付部と、当該基板の第１被取付部および第１領域よりも第１方向の他方側に位置する部分である第２被取付部とをさらに有する構成とすることが可能である。カバーは、カバー本体と、第１取付部と、第２取付部とを有する構成とすることが可能である。カバー本体は、基板の前記第１面の前記第１領域および前記第２領域を覆うと共に、変換部、光ファイバの第１部および回路部を覆う構成とすることが可能である。第１取付部は、基板の第１被取付部に直接的または間接的に固定された構成とすることが可能である。第２取付部は、基板の第２被取付部に直接的または間接的に固定された構成とすることが可能である。被押圧部は、カバー本体の第２領域上の部分および第２取付部で構成することが可能である。このような態様の光ファイバアッセンブリによる場合、カバーのカバー本体の第２領域上の部分および第２取付部が被押圧部を兼ねているので、部品点数を低減することができる。しかも、カバーが変換部、光ファイバの第１部および回路部を覆っているので、当該アッセンブリのＥＭＣ特性が向上する。
【００１２】
基板の第１被取付部は、第２方向の一方側の第１端部と、第２方向の他方側の第２端部とを有する構成とすることが可能である。第２被取付部は、第２方向の一方側の第１端部と、第２方向の他方側の第２端部とを有する構成とすることが可能である。第２方向は、第１方向に交差していると良い。基板は、一対の第１ストッパーと、一対の第２ストッパーとをさらに有する構成とすることが可能である。一対の第１ストッパーは、第２方向の一方側の一方の第１ストッパーと、第２方向の他方側の他方の第１ストッパーとを含んでいても良い。一方の第１ストッパーは、第１被取付部の第１端部に対して第１方向の他方側に位置し且つ第１被取付部の第１端部よりも第２方向の一方に凸であり、他方の第１ストッパーは、第１被取付部の第２端部に対して第１方向の他方側に位置し且つ第１被取付部の第２端部よりも第２方向の他方に凸である構成とすることが可能である。一対の第２ストッパーは、第２方向の一方側の一方の第２ストッパーと、第２方向の他方側の他方の第２ストッパーとを含んでいても良い。一方の第２ストッパーは、第２被取付部の第１端部に対して第１方向の一方側に位置し且つ第２被取付部の第１端部よりも第２方向の一方に凸であり、他方の第２ストッパーは、第２被取付部の第２端部に対して第１方向の一方側に位置し且つ第２被取付部の第２端部よりも第２方向の他方に凸である構成とすることが可能である。
【００１３】
カバーの第１取付部は、カバー本体から基板側へ延びた一対の第１脚部とを有する構成とすることが可能である。一対の第１脚部のうちの一方の第１脚部が、第２方向の一方側に凸の横向き略Ｕ字状の一方の第１フックを有し、他方の第１脚部が、第２方向の他方側に凸の横向き略Ｕ字状の他方の第１フックを有する構成とすることが可能である。一方の第１フックは、基板の第１被取付部の第１端部が嵌合しており且つ一方の第１ストッパーに対して第１方向の一方側から当接しており、他方の第１フックは、基板の第１被取付部の第２端部が嵌合しており且つ他方の第１ストッパーに対して第１方向の一方側から当接している構成とすることが可能である。
【００１４】
カバーの第２取付部は、カバー本体から基板側へ延びた一対の第２脚部とを有する構成とすることが可能である。一対の第２脚部のうちの一方の第２脚部が、第２方向の一方側に凸の横向き略Ｕ字状の一方の第２フックを有し、他方の第２脚部が、第２方向の他方側に凸の横向き略Ｕ字状の他方の第２フックを有する構成とすることが可能である。一方の第２フックは、基板の第２被取付部の第１端部が嵌合しており且つ一方の第２ストッパーに対して第１方向の他方側から当接しており、他方の第２フックは、基板の第２被取付部の第２端部が嵌合しており且つ他方の第２ストッパーに対して第１方向の他方側から当接している構成とすることが可能である。
【００１５】
本発明の光ファイバアッセンブリと電子機器との接続構造は、上記した何れかの態様の光ファイバアッセンブリと、電子機器とを備えている。光ファイバアッセンブリの基板の第１面は、第３方向の一方側の面であり、光ファイバアッセンブリの基板の第２面は、第２方向の一方側の面である。第３方向は、光ファイバアッセンブリの基板の厚み方向である。
【００１６】
電子機器は、接続部と、接続部が実装されたホスト基板とを備えている。光ファイバアッセンブリの外部接続部が第３方向の一方側から電子機器の接続部内に嵌入、または電子機器の接続部が第３方向の他方側から光ファイバアッセンブリの外部接続部内に嵌入し、光ファイバアッセンブリの外部接続部が電子機器の接続部に接続されている。
【００１７】
または、電子機器は、取り付け部をさらに備えた構成とすることが可能である。この場合、光ファイバアッセンブリの外部接続部および基板の少なくとも一方が第３方向の一方側から電子機器の取り付け部内に嵌入、または電子機器の取り付け部が第３方向の他方側から光ファイバアッセンブリの基板の取り付け孔内に嵌入し、これにより光ファイバアッセンブリの外部接続部が電子機器の接続部に電気的に接続された構成とすることが可能である。
【図面の簡単な説明】
【００１８】
【図１Ａ】本発明の実施例１に係る光ファイバアッセンブリの正面、平面および右側面から表した斜視図である。
【図１Ｂ】前記アッセンブリのカバーを取り外した状態の背面、底面および右側面から表した斜視図である。
【図２Ａ】前記アッセンブリの図１Ａ中の２Ａ−２Ａ断面図であると共に、前記アッセンブリが接続される電子機器のホスト基板および接続部を破線で示した図である。
【図２Ｂ】前記アッセンブリの図１Ａ中の２Ｂ−２Ｂ断面図である。
【図２Ｃ】前記アッセンブリの図１Ａ中の２Ｃ−２Ｃ断面図である。
【図３Ａ】前記アッセンブリの正面、平面および右側面から表した分解斜視図である。
【図３Ｂ】前記アッセンブリの背面、底面および右側面から表した分解斜視図である。
【図４】本発明の実施例２に係る光ファイバアッセンブリの正面、平面および右側面から表した斜視図である。
【図５】前記アッセンブリの図４Ａ中の５−５断面図である。
【図６】アッセンブリの正面、平面および右側面から表した分解斜視図である。
【発明を実施するための形態】
【００１９】
以下、本発明の実施例について説明する。
【実施例１】
【００２０】
以下、本発明の実施例１を含む複数の実施例に係る光ファイバアッセンブリＡ１（以下、単にアッセンブリＡ１とも称する。）ついて、図１Ａ〜図３Ｂを参照しつつ説明する。なお、図１Ａ〜図３Ｂには、実施例１に係るアッセンブリＡ１が示されている。図１Ａ〜図２Ａおよび図３Ａ〜図３Ｂに示すＹ−Ｙ’方向は、アッセンブリＡ１の後述する基板１００の第１面１１０に対して略平行であって、特許請求の範囲の第１方向に相当している。図１Ａ〜図１Ｂ、図２Ｂ〜図３Ｂに示すＸ−Ｘ’方向はＹ−Ｙ’方向に直交しており、特許請求の範囲の第２方向に相当している。図１Ａ〜図３Ｂに示すＺ−Ｚ’方向はアッセンブリＡ１の基板１００の厚み方向であって、特許請求の範囲の第３方向に相当している。Ｚ−Ｚ’方向はＹ−Ｙ’方向およびＸ−Ｘ’方向に直交している。
【００２１】
アッセンブリＡ１は、基板１００を備えている。基板１００は、Ｚ方向側の第１面１１０と、Ｚ’方向側（第１面１１０の反対側）の第２面１２０を有している。第１面１１０は、互いに異なる第１領域１１１および第２領域１１２を有している。第１領域１１１は、第２領域１１２に対してＹ方向側に位置していても良いが、これに限定されるものではない。第２面１２０は、第１領域１１１の反対側の第３領域１２１および第２領域１１２の反対側の第４領域１２２を有している。
【００２２】
アッセンブリＡ１は、変換部２００、光ファイバ３００および回路部４００を少なくとも一つずつさらに備えている。変換部２００は、光電変換部または電光変換部であって、基板１００の第１面１１０の第１領域１１１に実装されている。変換部２００は、光ファイバ３００の第１部３１０に光接続されている。光電変換部は、フォトダイオード等の受光素子であって、光ファイバ３００の第１部３１０から入射した光信号を電気信号に変換し、基板１００の図示しない第１導電ラインまたはボンディングワイヤに出力する構成となっている。電光変換部は、半導体レーザーや発光ダイオード等の発光素子であって、基板１００の第１導電ラインまたはボンディングワイヤから入力された電気信号を光信号に変換し、変換した光信号を光ファイバ３００の第１部３１０に出射する構成となっている。
【００２３】
光ファイバ３００は、当該光ファイバ３００のＹ方向側の先端部である第１部３１０を有している。光ファイバ３００の第１部３１０は、変換部２００に光接続されるように、変換部２００および基板１００の少なくとも一方に機械的に接続されている。例えば、第１部３１０は、変換部２００に下記１）〜３）の何れかのとおりに光接続することが可能である。
１）光ファイバ３００の第１部３１０が変換部２００の接続用の孔または凹部に嵌合し（機械的に接続され）、変換部２００に光接続されるように対向する。
２）光ファイバ３００の第１部３１０が基板１００に設けられた係合片に係合され（機械的に接続され）または保持片に保持され（機械的に接続され）、変換部２００に光接続されるように対向する。
３）光ファイバ３００の第１部３１０は、変換部２００の接続用の孔または凹部に嵌合し（機械的に接続され）、図示しないミラーによって変換部２００に光接続される。
【００２４】
光ファイバ３００は第２部３２０をさらに有している。第２部３２０は、第１部３１０から基板１００の第１面１１０の第２領域１１２上を通って、Ｙ’方向に延びていると良いが、これに限定されるものではない。すなわち、光ファイバ３００の第２部３２０は、基板１００の第１面１１０の第２領域１１２上を通らない構成とすることも可能である。
【００２５】
回路部４００は、光電変換回路または電光変換回路とすると良いが、これ以外の回路部であっても良い。回路部４００は、基板１００の第１面１１０の第１領域１１１上に実装されている。光電変換回路は、基板１００の第１導電ラインまたはボンディングワイヤを介して、光電変換部に接続されている。光電変換回路は、光電変換部によって光信号から変換された電気信号に対して所定の処理を行うための回路である。電光変換回路は、基板１００の第１導電ラインまたはボンディングワイヤを介して、電光変換部に接続されている。電光変換回路は、当該電光変換回路に入力された電気信号を光信号に変換可能な所定の信号に変換して電光変換部に出力し、当該電光変換部に光信号を照射させるための回路である。
【００２６】
変換部２００、光ファイバ３００および回路部４００は複数であっても良い。複数の変換部２００は基板１００の第１面１１０の第１領域１１１上にＸ−Ｘ’方向に並列に実装されていると良い。なお、複数の変換部２００は、次の１）〜３）のとおりとすることが可能である。
１）複数の変換部２００の全てが光電変換部である。この場合、複数の回路部４００の全てが光電変換回路である。
２）複数の変換部２００の全てが電光変換部である。この場合、複数の回路部４００の全てが電光変換回路である。
３）複数の変換部２００の少なくとも一つが光電変換部であり、残りが電光変換部である。この場合、複数の回路部４００の少なくとも一つが光電変換回路であり、残りが電光変換回路である。
１）〜３）の何れの場合も、基板１００の第１導電ラインまたはボンディングワイヤも複数とし、第１導電ラインまたはボンディングワイヤが回路部４００と変換部２００とを各々接続している。なお、図３Ａに示されるように、複数の変換部２００がユニット化されていても良いし、複数の回路部４００がＩＣチップ化されていても良い。
【００２７】
複数の光ファイバ３００は、少なくとも第１部３１０がＸ−Ｘ’方向に並列に配置されている（図３Ａ参照）。各光ファイバ３００の第１部３１０は、各変換部２００に光接続されるように、各変換部２００および基板１００の少なくとも一方に機械的に接続されている。複数の光ファイバ３００の第２部３２０もＸ−Ｘ’方向に並列で配置されていても良い。
【００２８】
複数の光ファイバ３００は次の１）〜３）の何れかようにユニット化されていても良い。
１）光ファイバ３００は、少なくとも第１部３１０が樹脂に被覆されている。
２）光ファイバ３００の第１部３１０以外の部分が樹脂に被覆されている。
３）光ファイバ３００全体が樹脂に被覆されている。
【００２９】
アッセンブリＡ１は外部接続部５００をさらに備えている。外部接続部５００は、基板１００の第２面１２０の第４領域１２２上に設けられた雄コネクタまたは雌コネクタである。外部接続部５００は基板１００を通じて少なくとも一つの回路部４００に接続されている。
【００３０】
基板１００は、第１被取付部１３０と、第２被取付部１４０とをさらに有している。第１被取付部１３０は、基板１００のＹ方向側の任意の部分である。第１被取付部１３０は、例えば、図１Ａ〜図３Ｂに示されるように基板１００のＹ方向側の端部とすることができるが、基板１００のＹ方向側の端部よりもＹ’方向側の部分としても良い。第２被取付部１４０は、基板１００の第１被取付部１３０および第１領域１１１よりもＹ’方向側の任意の部分である。第２被取付部１４０は、図１Ａ〜図３Ｂに示されるように基板１００のＹ’方向側の端部とすることができるが、基板１００のＹ’方向側の端部よりもＹ方向側の部分としても良い。第１被取付部１３０は、Ｘ方向側の第１端部と、Ｘ’方向側の第２端部とを有している。第２被取付部１４０は、Ｘ方向側の第１端部と、Ｘ’方向側の第２端部とを有している。
【００３１】
アッセンブリＡ１はカバー６００をさらに備えた構成とすることが可能である。カバー６００は導電性を有している。例えば、カバー６００は、金属板で構成されていても良いし、外面または内面に金属が蒸着された樹脂で構成されていても良い。カバー６００は、少なくとも一つの変換部２００、光ファイバ３００および回路部４００に対して非接触で、基板１００に固定されており且つ少なくとも一つの変換部２００、光ファイバ３００の第１部３１０および回路部４００をＺ方向側から覆っている。
【００３２】
カバー６００は、カバー本体６１０と、第１取付部６２０と、第２取付部６３０とを有している。カバー本体６１０は、例えば、平板（図示なし）またはＺ−Ｚ’方向において断面視略逆Ｕ字状の板（図２Ｂおよび図２Ｃ参照）などであって、少なくとも一つの変換部２００、光ファイバ３００および回路部４００に対して非接触で、基板１００の第１面１１０の第１領域１１１および第２領域１１２をＺ方向側から覆うと共に、少なくとも一つの変換部２００、光ファイバ３００の第１部３１０および回路部４００をＺ方向側から覆っている。カバー本体６１０は、第１カバー部６１１と、第２カバー部６１２とを有している。第１カバー部６１１は、少なくとも一つの変換部２００、光ファイバ３００の第１部３１０および回路部４００に対して非接触で、基板１００の第１面１１０の第１領域１１１および少なくとも一つの変換部２００、光ファイバ３００の第１部３１０および回路部４００をＺ方向側から覆っている。第２カバー部６１２は、基板１００の第１面１１０の第２領域１１２をＺ方向側から覆っている。光ファイバ３００の第２部３２０が第２領域１１２上を通っている場合、第２カバー部６１２は、少なくとも一つの変換部２００、光ファイバ３００の第１部３１０、光ファイバ３００の第２部３２０および回路部４００に対して非接触で、光ファイバ３００の第２部３２０もＺ方向側から覆っている。
【００３３】
第１取付部６２０は、一対の第１脚部６２１ａ、６２１ｂ（特許請求の範囲の一方の第１脚部、他方の第１脚部に相当）を有している。第１脚部６２１ａはカバー本体６１０の第１カバー部６１１のＸ方向側の端から基板１００側に延び且つ基板１００の第１被取付部１３０に直接固定されており、第１脚部６２１ｂはカバー本体６１０の第１カバー部６１１のＸ’方向側の端から基板１００側に延び且つ基板１００の第１被取付部１３０に直接固定されている。具体的には、第１脚部６２１ａ、６２１ｂは、下記ａ）〜ｄ）の何れかのとおりに、基板１００の第１被取付部１３０に直接固定されていると良いが、これに限定されるものではない。第１脚部６２１ａ、６２１ｂは、少なくとも一つの変換部２００、光ファイバ３００の第１部３１０および回路部４００に対して非接触である。
【００３４】
ａ）第１脚部６２１ａは、Ｘ方向の凸の横向き略Ｕ字状の第１フック６２２ａ（特許請求の範囲の一方の第１フックに相当）を有し、第１脚部６２１ｂは、Ｘ’方向に凸の横向き略Ｕ字状の第１フック６２２ｂ（特許請求の範囲の他方の第１フックに相当）を有している。第１フック６２２ａ内に基板１００の第１被取付部１３０の第１端部がＸ’方向側から嵌合し、第１フック６２２ｂ内に基板１００の第１被取付部１３０の第２端部がＸ方向側から嵌合している。より具体的には以下のとおりである。第１フック６２２ａは、第１部６２２ａ１と、第２部６２２ａ２と、第３部６２２ａ３とを有している。第１部６２２ａ１は、基板１００の第１被取付部１３０の第１端部のＺ方向側の面（第１面１１０の一部）に沿ってＸ方向に延び且つ第１被取付部１３０の第１端部のＺ方向側の面に当接している。第２部６２２ａ２は、第１部６２２ａ１のＸ方向の端からＺ’方向に延びている。第２部６２２ａ２は、第１被取付部１３０の第１端部のＸ方向側の面に当接していても良いし、当接していなくても良い。第３部６２２ａ３は、第２部６２２ａ２のＺ’方向の端から基板１００の第１被取付部１３０の第１端部のＺ’方向側の面（第２面１２０の一部）に沿ってＸ’方向に延び且つ第１被取付部１３０の第１端部のＺ’方向側の面に当接している。第１フック６２２ｂは、第１部６２２ｂ１と、第２部６２２ｂ２と、第３部６２２ｂ３とを有している。第１部６２２ｂ１は、基板１００の第１被取付部１３０の第２端部のＺ方向側の面（第１面１１０の一部）に沿ってＸ’方向に延び且つ第１被取付部１３０の第２端部のＺ方向側の面に当接している。第２部６２２ｂ２は、第１部６２２ｂ１のＸ’方向の端からＺ’方向に延びている。第２部６２２ｂ２は、第１被取付部１３０の第２端部のＸ’方向側の面に当接していても良いし、当接していなくても良い。第３部６２２ｂ３は、第２部６２２ｂ２のＺ’方向の端から基板１００の第１被取付部１３０の第２端部のＺ’方向側の面（第２面１２０の一部）に沿ってＸ方向に延び且つ第１被取付部１３０の第２端部のＺ’方向側の面に当接している。なお、カバー６００の第１取付部６２０を基板１００の第１被取付部１３０に取り付けるときには、第１取付部６２０の第１脚部６２１ａ、６２１ｂの第１フック６２２ａ、６２２ｂの第３部６２２ａ３、６２２ｂ３がＺ’方向に延びており、第１脚部６２１ａ、６２１ｂの第１フック６２２ａ、６２２ｂの第１部６２２ａ１、６２２ｂ１を第１取付部６２０の第１、第２端部のＺ方向の面に各々当接させると共に、第１フック６２２ａ、６２２ｂの第２部６２２ａ２、６２２ｂ２を第１取付部６２０の第１、第２端部のＸ方向、Ｘ’方向の面に沿って配置した後に、第１フック６２２ａ、６２２ｂの第３部６２２ａ３、６２２ｂ３を折り曲げて第１取付部６２０の第１、第２端部のＺ’方向の面に各々当接させると良い。
【００３５】
ｂ）第１脚部６２１ａ、６２１ｂは、第１フックを各々有している。第１脚部６２１ａ、６２１ｂの第１フックは、Ｙ方向に凸の横向き略Ｕ字状であり且つ当該第１フック内にＹ’方向側から基板１００の第１被取付部１３０の第１、第２端部が各々嵌合する以外、上記第１フック６２２ａ、６２２ｂと同様の構成であって、同様に取付可能である。
【００３６】
ｃ）第１脚部６２１ａは、基板１００の第１被取付部１３０の第１端部に設けられた係合孔または係合凹部にＺ方向から嵌合（ｆｉｔ  ｉｎ）しており、第１脚部６２１ｂは、基板１００の第１被取付部１３０の第２端部に設けられた係合孔または係合凹部にＺ方向から嵌合（ｆｉｔ  ｉｎ）している。なお、第１脚部６２１ａ、６２１ｂは、係合爪や係合突部を有しており、係合爪や係合突部が係合孔または係合凹部の壁に係合する構成とすることが可能である。
【００３７】
ｄ）第１脚部６２１ａ、６２１ｂに係合孔が設けられており、基板１００の第１被取付部１３０の第１、第２端部の端面（例えば、第１端部のＸ方向の他面、第２端部のＸ’方向の端面または第１端部のＹ方向の他面、第２端部のＹ方向の端面）に係合突部が設けられており、第１被取付部１３０の第１、第２端部の係合突部が第１脚部６２１ａ、６２１ｂの係合孔に各々嵌合（ｆｉｔ  ｉｎ）すると共に、第１脚部６２１ａ、６２１ｂが第１被取付部１３０の第１、第２端部の端面に各々当接している。なお、係合孔が第１被取付部１３０の第１、第２端部の端面に設けられ、係合突部が第１脚部６２１ａ、６２１ｂに設けられていても良い。なお、第１脚部６２１ａ、６２１ｂにおいて、ｄ）の構成は、ａ）またはｂ）の構成と併用できる。
【００３８】
第２取付部６３０は、一対の第２脚部６３１ａ、６３１ｂ（特許請求の範囲の一方の第２脚部、他方の第２脚部に相当）を有している。第２脚部６３１ａはカバー本体６１０の第２カバー部６１２のＸ方向側の端から基板１００側に延び且つ基板１００の第２被取付部１４０に直接固定されており、第２脚部６３１ｂはカバー本体６１０の第２カバー部６１２のＸ’方向側の端から基板１００側に延び且つ基板１００の第２被取付部１４０に直接固定されている。具体的には、第２脚部６３１ａ、６３１ｂは、下記ａ）〜ｄ）の何れかのとおりに基板１００の第２被取付部１４０に直接固定されていると良いが、これに限定されるものではない。第２脚部６３１ａ、６３１ｂは、少なくとも一つの変換部２００、光ファイバ３００の第１部３１０、光ファイバ３００の第２部３２０および回路部４００に対して非接触である。なお、光ファイバ３００の第２部３２０が第２領域１１２上を通る場合、第２脚部６３１ａ、６３１ｂは、光ファイバ３００の第２部３２０のＸ方向側、Ｘ’方向側（第２部３２０の両側）に非接触で位置している。
【００３９】
ａ）第２脚部６３１ａ、６３１ｂは、第１脚部６２１ａ、６２１ｂの上記ａ）と同様の構成とすることが可能であり、第１脚部６２１ａ、６２１ｂと同様に第２被取付部１４０に取付可能である。具体的には次のとおりである。第２脚部６３１ａのＸ方向の凸の横向き略Ｕ字状の第２フック６３２ａ（特許請求の範囲の一方の第２フックに相当）内に基板１００の第２被取付部１４０の第１端部がＸ’方向側から嵌合し、第２脚部６３１ｂのＸ’方向の凸の横向き略Ｕ字状の第２フック６３２ｂ（特許請求の範囲の他方の第２フックに相当）内に基板１００の第２被取付部１４０の第２端部がＸ方向側から嵌合している。第２フック６３２ａの第１部６３２ａ１は、基板１００の第２被取付部１４０の第１端部のＺ方向側の面（第１面１１０の一部）に沿ってＸ方向に延び且つ第２被取付部１４０の第１端部のＺ方向側の面に当接している。第２フック６３２ａの第２部６３２ａ２は、第１部６３２ａ１のＸ方向の端からＺ’方向に延び且つ第２被取付部１４０の第１端部のＸ方向側の面に対して当接または当接しないように配置されている。第２フック６３２ａの第３部６３２ａ３は、第２部６３２ａ２のＺ’方向の端から基板１００の第２被取付部１４０の第１端部のＺ’方向側の面（第２面１２０の一部）に沿ってＸ’方向に延び且つ第２被取付部１４０の第１端部のＺ’方向側の面に当接している。第２フック６３２ｂの第１部６３２ｂ１は、基板１００の第２被取付部１４０の第２端部のＺ方向側の面（第１面１１０の一部）に沿ってＸ’方向に延び且つ第２被取付部１４０の第２端部のＺ方向側の面に当接している。第２フック６３２ｂの第２部６３２ｂ２は、第１部６３２ｂ１のＸ’方向の端からＺ’方向に延び、且つ第２被取付部１４０の第２端部のＸ’方向側の面に対して当接または当接しないように配置されている。第２フック６３２ｂの第３部６３２ｂ３は、第２部６３２ｂ２のＺ’方向の端から基板１００の第２被取付部１４０の第２端部のＺ’方向側の面（第２面１２０の一部）に沿ってＸ方向に延び且つ第２被取付部１４０の第２端部のＺ’方向側の面に当接している。
【００４０】
ｂ）第２脚部６３１ａ、６３１ｂは、上記ｂ）の構成の第１脚部６２１ａ、６２１ｂとＹ−Ｙ’方向において対称形状とすることが可能である。第２脚部６３１ａ、６３１ｂの第２フックは、Ｙ’方向に凸の横向き略Ｕ字状であって、第２フック内にＹ方向側から基板１００の第１被取付部１３０の第１、第２端部が各々嵌合している。
【００４１】
ｃ）第２脚部６３１ａ、６３１ｂは、第１脚部６２１ａ、６２１ｂの上記ｃ）と同様の構成とすることが可能である。すなわち、第２脚部６３１ａ、６３１ｂは、基板１００の第２被取付部１４０の第１、第２端部の係合孔または係合凹部にＺ方向から各々嵌合（ｆｉｔ  ｉｎ）している。
【００４２】
ｄ）第２脚部６３１ａ、６３１ｂは、第１脚部６２１ａ、６２１ｂの上記ｃ）と同様の構成とすることが可能である。すなわち、第２脚部６３１ａ、６３１ｂの係合孔に、基板１００の第２被取付部１４０の第１、第２端部の端面（例えば、第１端部のＸ方向の他面、第２端部のＸ’方向の端面または第１端部のＹ’方向の他面、第２端部のＹ’方向の端面）の係合突部が各々嵌合（ｆｉｔ  ｉｎ）すると共に、第２脚部６３１ａ、６３１ｂが第２被取付部１４０の第１、第２端部の端面に各々当接している。なお、係合孔が第２被取付部１４０の第１、第２端部の端面に設けられ、係合突部が第２脚部６３１ａ、６３１ｂに設けられていても良い。なお、第２脚部６３１ａ、６３１ｂにおいて、ｄ）の構成は、上記ａ）またはｂ）の構成と併用できる。
【００４３】
アッセンブリＡ１では、上記した何れの態様のカバー６００の第２カバー部６１２および第２取付部６３０が、特許請求の範囲の被押圧部を構成している。すなわち、第２カバー部６１２が特許請求の範囲の被押圧部のカバー部に相当する。
【００４４】
第１取付部６２０および第２取付部６３０が上記ａ）の構成を有する場合、基板１００は、一対の第１ストッパー１５０ａ、１５０ｂ（特許請求の範囲の一方、他方の第１ストッパーに相当）と、一対の第２ストッパー１６０ａ、１６０ｂ（特許請求の範囲の一方、他方の第２ストッパーに相当）とをさらに有する構成とすることが可能である。
【００４５】
第１ストッパー１５０ａは、第１被取付部１３０の第１端部に対してＹ’方向側に位置するように、基板１００のＸ方向側の端部に設けられている。第１ストッパー１５０ｂは、第１被取付部１３０の第２端部に対してＹ’方向側に位置するように、基板１００のＸ’方向側の端部に設けられている。第２ストッパー１６０ａは、第２被取付部１４０の第１端部に対してＹ方向側に位置するように、基板１００のＸ方向側の端部に設けられている。第２ストッパー１６０ｂは、第２被取付部１４０の第２端部に対してＹ方向側に位置するように、基板１００のＸ’方向側の端部に設けられている。第１ストッパー１５０ａ、１５０ｂおよび第２ストッパー１６０ａ、１６０ｂは、さらに下記１）または２）の構成を有している。
【００４６】
１）基板１００は、図１Ａ〜図３Ｂに示すように、第１被取付部１３０と第２被取付部１４０との間に中間部を有する場合、基板１００の中間部のＸ−Ｘ’方向の寸法は、第１被取付部１３０のＸ−Ｘ’方向の寸法および第２被取付部１４０のＸ−Ｘ’方向の寸法よりも大きく、且つ基板１００の中間部のＹ−Ｙ’方向の寸法は、第１脚部６２１ａの第１フック６２２ａから第２脚部６３１ａの第２フック６３２ａまでのＹ−Ｙ’方向の距離とほぼ同じであると共に、第１脚部６２１ｂの第１フック６２２ａから第２脚部６３１ｂの第２フック６３２ａまでのＹ−Ｙ’方向の距離とほぼ同じである。この場合、中間部のＹ方向およびＸ方向側の角部が第１ストッパー１５０ａとなり、中間部のＹ方向およびＸ’方向側の角部が第１ストッパー１５０ｂとなり、中間部のＹ’方向およびＸ方向側の角部が第２ストッパー１６０ａとなり、中間部のＹ’方向およびＸ’方向側の角部が第２ストッパー１６０ｂとなる。この場合、第１ストッパー１５０ａは、第１被取付部１３０の第１端部よりもＸ方向側に凸であり、第１ストッパー１５０ｂは、第１被取付部１３０の第２端部よりもＸ’方向側に凸であり、第２ストッパー１６０ａは、第２被取付部１４０の第１端部よりもＸ方向側に凸であり、第２ストッパー１６０ｂは、第２被取付部１４０の第２端部よりもＸ’方向側に凸である。
【００４７】
２）第１ストッパー１５０ａは第１被取付部１３０の第１端部よりもＸ方向側に凸の突部であり、第１ストッパー１５０ｂは第１被取付部１３０の第２端部よりもＸ’方向側に凸の突部であり、第２ストッパー１６０ａは第２被取付部１４０の第１端部よりもＸ方向側に凸の突部であり、第２ストッパー１６０ｂは第２被取付部１４０の第２端部よりもＸ’方向側に凸の突部である構成とすることが可能である。
【００４８】
第１取付部６２０の第１脚部６２１ａ、６２１ｂの第１フック６２２ａ、６２２ｂが上記何れかの態様の第１ストッパー１５０ａ、１５０ｂに対してＹ方向側から各々当接しており、第２取付部６３０の第２脚部６３１ａ、６３１ｂの第２フック６３２ａ、６３２ａが上記何れかの態様の第２ストッパー１６０ａ、１６０ｂに対してＹ’方向側から各々当接している。
【００４９】
以下、上記したアッセンブリＡ１を電子機器Ｄのホスト基板１０に接続する手順について詳しく説明する。なお、ホスト基板１０上には、接続部２０が実装されている。外部接続部５００が雄コネクタである場合、接続部２０は雌コネクタであり、その逆の場合もある。図２Ａにおいて、電子機器Ｄのホスト基板１０および接続部２０が破線で示されている。アッセンブリＡ１を電子機器Ｄのホスト基板１０にＺ−Ｚ’方向において相対的に接近させ、アッセンブリＡ１の外部接続部５００と電子機器Ｄの接続部２０とを位置合わせする。この状態で、アッセンブリＡ１の被押圧部をＺ’方向側に押圧し（Ｚ’方向に荷重をかけて）、外部接続部５００を接続部２０に押し込む。これにより、外部接続部５００が接続部２０内に嵌入（ｆｉｔ  ｉｎ）または接続部２０が外部接続部５００内に嵌入（ｆｉｔ  ｉｎ）し、両者が接続される。このようにしてアッセンブリＡ１と電子機器Ｄとの接続構造が構成される。
【００５０】
以上のようなアッセンブリＡ１による場合、以下の技術的特徴および効果を奏する。
１）アッセンブリＡ１の被押圧部（第２カバー部６１２および第２取付部６３０）をＺ’方向に押圧して（荷重をかけて）、アッセンブリＡ１の外部接続部５００を電子機器Ｄの接続部２０に接続するときに（以下、これを接続時と称する。）、アッセンブリＡ１の被押圧部にかかる荷重が少なくとも一つの変換部２００、光ファイバ３００の第１部３１０および回路部４００に対してかかることを防ぐことができる。少なくとも一つの変換部２００、光ファイバ３００の第１部３１０および回路部４００は基板１００の第１領域１１１上に位置しており、且つ第２カバー部６１２および第２取付部６３０が少なくとも一つの変換部２００、光ファイバ３００および回路部４００に対して非接触であるからである。
【００５１】
２）少なくとも一つの光ファイバ３００の第２部３２０が基板１００の第２領域１１２上を通っている場合、アッセンブリＡ１の被押圧部が第２部３２０に対して非接触で当該第２部３２０を覆っているため、接続時に、第２部３２０に対して荷重がかかることがなく、被押圧部を容易に押圧することができる。
【００５２】
３）アッセンブリＡ１の製造を柔軟に行うことができる。なぜなら、基板１００の第２面１２０の第３領域１２１は空き領域であるため、外部接続部５００を基板１００の第２面１２０の第４領域１２２上に実装した前後の何れであっても、基板１００の第３領域１２１を台に載置し、少なくとも一つの変換部２００および回路部４００を基板１００の第１面１１０の第１領域上に実装することができる。少なくとも一つの回路部４００および基板１００がワイヤーボンディグで接続される場合、基板１００の第３領域１２１をＺ’方向側からヒーター加熱することができるので、ワイヤーボンディグの接続を容易に行うことができる。
【００５３】
４）カバー６００の第１取付部６２０および第２取付部６３０が上記ａ）の構成を各々有し、且つ基板１００が第１ストッパー１５０ａ、１５０ｂおよび第２ストッパー１６０ａ、１６０ｂを有している場合、またはカバー６００の第１取付部６２０および第２取付部６３０が上記ｂ）〜ｄ）の構成を各々有している場合、アッセンブリＡ１のカバー６００が基板１００に対してＹ−Ｙ’方向に移動するのを規制することができる。前者の場合、カバー６００の第１取付部６２０の第１脚部６２１ａ、６２１ｂが第１ストッパー１５０ａ、１５０ｂにＹ方向側から当接し、且つカバー６００の第２取付部６３０の第２脚部６３１ａ、６３１ｂが第２ストッパー１６０ａ、１６０ｂにＹ’方向側から当接しているので、カバー６００のＹ−Ｙ’方向の移動が規制される。後者の場合、第１取付部６２０が基板１００の第１被取付部１３０に、第２取付部６３０が基板１００の第２被取付部１４０に固定されることによって、カバー６００のＹ−Ｙ’方向の移動が規制される。よって、アッセンブリＡ１の基板１００およびカバー６００を樹脂製の筒状のブッシュ（図示せず）内を挿通させ、当該ブッシュ内に少なくとも一つの光ファイバ３００の第２部３２０よりＹ’方向側の部分を挿入する必要がある場合であっても、ブッシュがカバー６００に接触し、カバー６００がＹ−Ｙ’方向に移動するのを防止することができる。
【００５４】
５）カバー６００が少なくとも一つの変換部２００、光ファイバ３００の第１部３１０および回路部４００を覆っているので、アッセンブリＡ１のＥＭＣ特性が向上する。このカバー６００が被押圧部を有しているため、部品点数の増加を抑制することができる。
【００５５】
６）少なくとも一つの光ファイバ３００の第２部３２０が基板１００の第２領域１１２上を通っている場合、第２領域１１２が、第２部３２０が通る領域として利用されているので、アッセンブリＡ１の小型化を図ることができる。
【実施例２】
【００５６】
以下、本発明の実施例２を含む複数の実施例に係る光ファイバアッセンブリＡ２（以下、単にアッセンブリＡ２とも称する。）ついて、図４〜図６を参照しつつ説明する。なお、図４〜図６は、実施例２に係るアッセンブリＡ１が示されている。図４および図６には、アッセンブリＡ１と同様に、Ｙ−Ｙ’方向が示されており、図４〜図６には、アッセンブリＡ１と同様に、Ｘ−Ｘ’方向およびＺ−Ｚ’方向が示されている。
【００５７】
アッセンブリＡ２は、下記の点を除き、アッセンブリＡ１と同様の構成となっている。相違点１）アッセンブリＡ２のカバー６００’の構成がアッセンブリＡ１のカバー６００の構成と相違している。相違点２）アッセンブリＡ２は、固定部７００ａ、７００ｂをさらに備えている。相違点３）アッセンブリＡ２の基板１００の第２被取付部の構成が、アッセンブリＡ１の基板１００の第２被取付部１４０の構成と相違している。
【００５８】
基板１００の第１被取付部１３０は、基板１００のＹ方向の端部である。基板１００の第２領域１１２の部分が第２被取付部を兼ねている。
【００５９】
固定部７００ａ、７００ｂは、金属部材または樹脂部材などであって、少なくとも一つの変換部２００、光ファイバ３００および回路部４００に対して非接触で基板１００の第１面１１０の第２領域１１２上に固定されている。固定部７００ａ、７００ｂは、例えば、ベース７１０ａ、７１０ｂと、このベース７１０ａ、７１０ｂからＺ方向に延びた固定部本体７２０ａ、７２０ｂとを有している。ベース７１０ａ、７１０ｂは、例えば、下記１）〜３）の何れかのとおりに、基板１００の第２領域１１２の部分（第２被取付部）に固定されている。
１）ベース７１０ａ、７１０ｂは、基板１００の第２領域１１２上の一対の電極に各々はんだ接続されている。
２）ベース７１０ａ、７１０ｂは、基板１００の第２領域１１２上に各々接着されている。
３）ベース７１０ａ、７１０ｂは、基板１００の第２領域１１２に設けられた図示しない嵌合孔に嵌合（ｆｉｔ  ｉｎ）している。
【００６０】
固定部本体７２０ａ、７２０ｂは、少なくとも一つの変換部２００、光ファイバ３００および回路部４００に対して非接触となるように、基板１００の第１面１１０の第２領域１１２上に位置している。少なくとも一つの光ファイバ３００の第２部３２０が第２領域１１２上を通る場合、固定部本体７２０ａ、７２０ｂは、少なくとも一つの光ファイバ３００の第２部３２０に対してＸ方向、Ｘ’方向側に各々非接触で配置されている。
【００６１】
カバー６００’は、カバー本体６１０と、第１取付部６２０’と、第２取付部６３０’とを有している。第１取付部６２０’は、フック６２１’および一対の当接部６２２ａ’、６２２ｂ’を有している。フック６２１’は、側面視略Ｌ字状であって、カバー本体６１０の第１カバー部６１１のＹ向側の端から基板１００側に延びている。フック６２１’は、少なくとも一つの変換部２００、光ファイバ３００および回路部４００に対して非接触で基板１００の第１被取付部１３０のＹ方向側の面およびＺ’方向側の面に当接している。当接部６２２ａ’、６２２ｂ’は、少なくとも一つの変換部２００、光ファイバ３００および回路部４００に対して非接触となるように、カバー本体６１０の第１カバー部６１１のＸ方向側の端、Ｘ’方向側の端から基板１００側に各々延び且つ基板１００の第１被取付部１３０の第１、第２端部のＺ方向側の面に各々当接している。要するに、基板１００の第１被取付部１３０は、フック６２１’と当接部６２２ａ’、６２２ｂ’とにＺ−Ｚ’方向において挟持されると共に、フック６２１’によってＹ方向への移動が規制されている。
【００６２】
第２取付部６３０’は、一対の第２脚部６３１ａ’、６３１ｂ’を有している。第２脚部６３１ａ’、６３１ｂ’は、少なくとも一つの変換部２００、光ファイバ３００および回路部４００に対して非接触となるように、カバー本体６１０の第２カバー部６１２のＸ方向側の端、Ｘ’方向側の端から基板１００側に各々延び且つ固定部７００ａ、７００ｂの固定部本体７２０ａ、７２０ｂに各々固定されている。具体的には、第２脚部６３１ａ’、６３１ｂ’は、下記ａ）またはｂ）のとおりに、固定部本体７２０ａ、７２０ｂに固定されていると良いが、これに限定されるものではない。
ａ）固定部７００ａ、７００ｂは、Ｘ−Ｘ’方向において対称形状であって、ガイド部７３０ａ、７３０ｂをさらに有している。固定部７００ａ、７００ｂのベース７１０ａ、７１０ｂは、上記１）のとおりに基板１００の第２領域１１２上に固定されており、固定部本体７２０ａ、７２０ｂはベース７１０ａ、７１０ｂのＸ−Ｘ’方向の両端のうちの一端に設けられ、ガイド部７３０ａ、７３０ｂはベース７１０ａ、７１０ｂの他端に設けられている。ガイド部７３０ａ、７３０ｂは、Ｚ−Ｚ’方向の断面視において横向き略Ｕ字状である。第２脚部６３１ａ’、６３１ｂ’は、Ｘ−Ｘ’方向において対称形状であり且つＺ−Ｚ’方向の断面視において略Ｌ字状であって、当接部と、ランナー部とを各々有している。当接部は、固定部本体７２０ａ、７２０ｂに各々外側から当接している。ランナー部は、ガイド部７３０ａ、７３０ｂ内をＹ−Ｙ’方向に各々移動自在に挿入されている。ランナー部およびガイド部７３０ａ、７３０ｂの何れか一方には、係合突部が設けられており、他方に係合孔が設けられている。係合突部が係合孔に各々係合されている。図４〜図６では、ランナー部の係合突部６３２ａ’、６３２ｂ’が、ガイド部７３０ａ、７３０ｂの係合孔７３１ａ、７３１ｂに嵌合している。なお、固定部７００ａ、７００ｂにランナー部が各々設けられる一方で、第２脚部６３１ａ’、６３１ｂ’に前記ランナー部をガイド可能なガイド部が各々設けられていても良い。
ｂ）第２脚部６３１ａ’、６３１ｂ’および固定部７００ａ、７００ｂの固定部本体７２０ａ、７２０ｂに外側または内側から各々当接している。第２脚部６３１ａ’、６３１ｂ’および固定部７００ａ、７００ｂの固定部本体７２０ａ、７２０ｂの何れか一方には、係合突部が設けられており、他方に係合孔が設けられている。係合突部が係合孔に各々係合されている。
以上のとおり第２脚部６３１ａ’、６３１ｂ’は、固定部７００ａ、７００ｂを介して基板１００の第２領域１１２に間接的に固定されている。
【００６３】
アッセンブリＡ２では、上記した何れの態様のカバー６００’の第２カバー部６１２および第２取付部６３０’が、特許請求の範囲の被押圧部を構成している。ここでも、第２カバー部６１２が特許請求の範囲の被押圧部のカバー部に相当する。
【００６４】
上記したアッセンブリＡ２は、アッセンブリＡ１と同様に、電子機器Ｄのホスト基板１０に接続され、アッセンブリＡ２と電子機器Ｄとの接続構造が構成される。なお、電子機器Ｄのホスト基板１０および接続部２０は、図２Ａを借りて参照する。以上のようなアッセンブリＡ２は、アッセンブリＡ１の１）〜３）および５）〜６）の技術的特徴および効果と同様の技術的特徴および効果を奏すると共に、以下の技術的特徴および効果を奏する。
【００６５】
光ファイバ３００の第２部３２０が基板１００の第２領域１１２上を通っている場合であっても、カバー６００’の第２取付部６３０’の第２脚部６３１ａ’、６３１ｂ’を固定部７００ａ、７００ｂに固定するときに、第２脚部６３１ａ’、６３１ｂ’が光ファイバ３００の第２部３２０に接触する可能性を低減できる。光ファイバ３００の第２部３２０の両側に固定部７００ａ、７００ｂの固定部本体７２０ａ、７２０ｂが存在しており、この固定部本体７２０ａ、７２０ｂに対して第２脚部６３１ａ’、６３１ｂ’が外側から当接するように固定されるからである。
【００６６】
また、第１取付部６２０’のフック６２１’が、基板１００の第１被取付部１３０のＹ方向側の面およびＺ’方向側の面に当接し、且つ第２取付部６３０’の第２脚部６３１ａ’、６３１ｂ’が固定部７００ａ、７００ｂの固定部本体７２０ａ、７２０ｂに固定されているので、アッセンブリＡ２のカバー６００’が基板１００に対してＹ−Ｙ’方向に移動するのを規制することができる。よって、アッセンブリＡ２の基板１００およびカバー６００’を樹脂製の筒状のブッシュ（図示せず）内を挿通させる必要がある場合であっても、ブッシュがカバー６００’に接触し、カバー６００’がＹ−Ｙ’方向に移動するのを防止することができる。
【００６７】
なお、上記した光ファイバアッセンブリおよび接続構造は、上記実施例に限定されるものではなく、特許請求の範囲の記載範囲において任意に設計変更することが可能である。以下、詳しく述べる。
【００６８】
本発明のカバーは、省略可能である。この場合、本発明の基板の第１被取付部は省略される。本発明のカバーの第１取付部は、基板の第１被取付部に直接的または間接的に固定されていれば良い。本発明のカバーの第２取付部は、基板の第２被取付部に直接的または間接的に固定されていれば良い。アッセンブリＡ１の第１取付部６２０とアッセンブリＡ２の第１取付部６２０’とは置換可能である。アッセンブリＡ１、Ａ２の第１取付部は、アッセンブリＡ２の上記した何れかの態様の第２取付部６３０’と同様の構成とし、上記した何れかの態様の固定部７００ａ、７００ｂを介して基板１００の第１被取付部に取り付けられた構成とすることが可能である。
【００６９】
本発明の被押圧部は、少なくとも一つの変換部、光ファイバおよび回路部に対して非接触で、基板の第２領域上に位置するように、基板に直接的または間接的に固定されている限りどのような構成であっても良い。例えば、被押圧部は、少なくとも一つの変換部、光ファイバおよび回路部に対して非接触で、基板の第２領域に直接的または間接的に固定された取っ手とすることが可能である。または、被押圧部が、上記した何れかの態様の第２カバー部および第２取付部を有する構成とすることも可能である。
【００７０】
本発明の外部接続部は、雄コネクタおよび雌コネクタに限定されず、電子機器のホスト基板の接続部に接続するとときにＺ’方向に荷重をかけて接続する必要があるものである限りどのようなものであっても良い。例えば、本発明の外部接続部は、ピンまたは端子などとすることが可能である。外部接続部がピン、端子または導体である場合、複数とすることが可能である。
【００７１】
本発明の電子機器のホスト基板上の接続部は、上記した何れかの態様の外部接続部がＺ−Ｚ’方向において、接続可能である限りどのようなものであっても良い。例えば、本発明の電子機器の接続部は、ピンまたは端子などである外部接続部が圧入可能なコネクタなどとすることが可能である。
【００７２】
なお、上記実施例の各態様および設計変形例における光ファイバアッセンブリおよび接続構造の各構成要素を構成する素材、形状、寸法、数および配置等は、本発明の一例を説明したものであって、同様の機能を実現し得る限り任意に設計変更することが可能である。上記した実施例の各態様および設計変更例は、互いに矛盾しない限り、相互に組み合わせることが可能である。なお、本発明の第１方向（Ｙ−Ｙ’方向）は、本発明の基板の第１面に対して略平行である限り任意に設定可能である。本発明の第２方向（Ｘ−Ｘ’方向）は、第１方向に交差し且つ第３方向に直交する限り任意に設定することが可能である。本発明の第３方向（Ｚ−Ｚ’方向）は、第１方向および第２方向に直交している限り任意に設定可能である。
【符号の説明】
【００７３】
Ａ１、Ａ２：光ファイバアッセンブリ
１００：基板
１１０：第１面
１１１：第１領域
１１２：第２領域
１２０：第２面
１２１：第３領域
１２２：第４領域
１３０：第１被取付部
１４０：第２被取付部
２００：変換部
３００：光ファイバ
３１０：第１部
３２０：第２部
４００：回路部
５００：外部接続部
６００、６００’：カバー
６１０：カバー本体
６１１：第１カバー部
６１２：第２カバー部
６２０：第１取付部
６２１ａ、６２１ｂ：第１脚部
６２２ａ、６２２ｂ：第１フック
６３０：第２取付部
６３１ａ、６３１ｂ：第２脚部
６３２ａ、６３２ｂ：第２フック
６２０’：第１取付部
６２１’：フック
６２２ａ’、６２２ｂ’：当接部
６３０’：第２取付部
６３１ａ’、６３１ｂ’：第２脚部
７００ａ、７００ｂ：固定部  
Ｄ：電子機器
１０：基板
２０：接続部
【図１Ａ】
2019032383.tif 000003
【図１Ｂ】
2019032383.tif 000004
【図２Ａ】
2019032383.tif 000005
【図２Ｂ】
2019032383.tif 000006
【図２Ｃ】
2019032383.tif 000007
【図３Ａ】
2019032383.tif 000008
【図３Ｂ】
2019032383.tif 000009
【図４】
2019032383.tif 000010
【図５】
2019032383.tif 000011
【図６】
2019032383.tif 000012
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
第１面およびその反対側の第２面を有する基板であって、前記第１面は、互いに異なる第１領域および第２領域を有し、前記第２面は、前記第１領域の反対側の第３領域および前記第２領域の反対側の第４領域を有する前記基板と、
前記基板の前記第１領域上に設けられた光電変換部または電光変換部である変換部と、
前記変換部に光接続された先端部である第１部を有する光ファイバと、
前記基板の前記第１領域上に設けられており且つ前記変換部に電気的に接続された回路部と、
前記基板の前記第４領域上に設けられた外部接続部と、
前記変換部、前記光ファイバおよび前記回路部に対して非接触で、前記基板の前記第２領域上に位置するように、前記基板に直接的または間接的に固定された被押圧部とを備えている光ファイバアッセンブリ。
【請求項２】
請求項１記載の光ファイバアッセンブリにおいて、
前記基板の前記第１領域は、前記基板の前記第２領域に対して第１方向の一方側に位置しており、前記第１方向は、前記基板の前記第１面に対して略平行に延びており、
前記光ファイバは、前記第１部から前記基板の前記第２領域上を通って前記第１方向の他方へ延びた第２部をさらに有しており、
前記被押圧部は、前記基板の前記第２領域上で前記光ファイバの前記第２部を非接触で覆うカバー部と、
前記カバー部から前記基板側へ各々延びており且つ前記光ファイバの前記第２部の両側で当該第２部に対して非接触で前記基板に直接的または間接的に各々固定された一対の脚部とを有する光ファイバアッセンブリ。
【請求項３】
請求項１記載の光ファイバアッセンブリにおいて、
導電性を有するカバーをさらに備えており、
前記基板は、当該基板の第１方向の一方側の部分である第１被取付部と、
当該基板の前記第１被取付部および前記第１領域よりも前記第１方向の他方側に位置する部分である第２被取付部とをさらに有しており、前記第１方向は、前記基板の前記第１面に対して略平行に延びており、
前記カバーは、前記基板の前記第１面の前記第１領域および前記第２領域を覆うと共に、前記変換部、前記光ファイバの前記第１部および前記回路部を覆うカバー本体と、
前記基板の前記第１被取付部に直接的または間接的に固定された第１取付部と、
前記基板の前記第２被取付部に直接的または間接的に固定された第２取付部とを有しており、
前記被押圧部は、前記カバー本体の前記第２領域上の部分および前記第２取付部で構成されている光ファイバアッセンブリ。
【請求項４】
請求項３記載の光ファイバアッセンブリにおいて、
前記第１被取付部は、第２方向の一方側の第１端部と、前記第２方向の他方側の第２端部とを有しており、前記第２方向は、前記第１方向に交差しており、
前記第２被取付部は、前記第２方向の一方側の第１端部と、前記第２方向の他方側の第２端部とを有しており、
前記基板は、一対の第１ストッパーと、一対の第２ストッパーとをさらに有しており、
前記一対の第１ストッパーは、前記第２方向の一方側の一方の第１ストッパーと、前記第２方向の他方側の他方の第１ストッパーとを含み、
前記一方の第１ストッパーは、前記第１被取付部の前記第１端部に対して前記第１方向の他方側に位置し且つ前記第１被取付部の前記第１端部よりも前記第２方向の一方に凸であり、
前記他方の第１ストッパーは、前記第１被取付部の前記第２端部に対して前記第１方向の他方側に位置し且つ前記第１被取付部の前記第２端部よりも前記第２方向の他方に凸であり、
前記一対の第２ストッパーは、前記第２方向の一方側の一方の第２ストッパーと、前記第２方向の他方側の他方の第２ストッパーとを含み、
前記一方の第２ストッパーは、前記第２被取付部の前記第１端部に対して前記第１方向の一方側に位置し且つ前記第２被取付部の前記第１端部よりも前記第２方向の一方に凸であり、
前記他方の第２ストッパーは、前記第２被取付部の前記第２端部に対して前記第１方向の一方側に位置し且つ前記第２被取付部の前記第２端部よりも前記第２方向の他方に凸であり、
前記第１取付部は、前記カバー本体から前記基板側へ延びた一対の第１脚部を有しており、
前記一対の第１脚部のうちの一方の第１脚部が、前記第２方向の一方側に凸の横向き略Ｕ字状の一方の第１フックを有し、他方の第１脚部が、前記第２方向の他方側に凸の横向き略Ｕ字状の他方の第１フックを有し、
前記一方の第１フックは、前記基板の前記第１被取付部の前記第１端部が嵌合しており且つ前記一方の第１ストッパーに対して前記第１方向の一方側から当接しており、
前記他方の第１フックは、前記基板の前記第１被取付部の前記第２端部が嵌合しており且つ前記他方の第１ストッパーに対して前記第１方向の一方側から当接しており、
前記第２取付部は、前記カバー本体から前記基板側へ延びた一対の第２脚部を有しており、
前記一対の第２脚部のうちの一方の第２脚部が、前記第２方向の一方側に凸の横向き略Ｕ字状の一方の第２フックを有し、他方の第２脚部が、前記第２方向の他方側に凸の横向き略Ｕ字状の他方の第２フックを有し、
前記一方の第２フックは、前記基板の前記第２被取付部の前記第１端部が嵌合しており且つ前記一方の第２ストッパーに対して前記第１方向の他方側から当接しており、
前記他方の第２フックは、前記基板の前記第２被取付部の前記第２端部が嵌合しており且つ前記他方の第２ストッパーに対して前記第１方向の他方側から当接している光ファイバアッセンブリ。
【請求項５】
請求項１〜４の何れかに記載の光ファイバアッセンブリと、
電子機器とを備えており、
前記光ファイバアッセンブリの前記基板の前記第１面は、第３方向の一方側の面であり、前記光ファイバアッセンブリの前記基板の前記第２面は、前記第３方向の他方側の面であり、前記第３方向は、前記光ファイバアッセンブリの前記基板の厚み方向であり、
前記電子機器は、接続部と、
前記接続部が実装されたホスト基板とを備えており、
前記光ファイバアッセンブリの前記外部接続部が前記第３方向の一方側から前記電子機器の前記接続部内に嵌入または前記電子機器の前記接続部が前記第３方向の他方側から前記光ファイバアッセンブリの前記外部接続部内に嵌入し、これにより前記光ファイバアッセンブリの前記外部接続部が前記電子機器の前記接続部に接続されている光ファイバアッセンブリと電子機器との接続構造。
【手続補正２】
【補正対象書類名】明細書
【補正対象項目名】０００２
【補正方法】変更
【補正の内容】
【０００２】
従来の光ファイバアッセンブリが下記特許文献１に記載されている。このアッセンブリは、並列で一体化された複数の光ファイバと、変換部用基板と、複数の変換部と、回路部と、デバイス基板と、外部接続用コネクタと、ケースとを備えている。複数の変換部は、複数の光ファイバの挿入端に対向するように変換部用基板上に一列で設けられている。デバイス基板の表面上には変換部用基板および回路部が実装されており、デバイス基板の裏面上には外部接続用コネクタが実装されている。これらがケース内に収容され、外部接続用コネクタが当該ケースの底部の開口から露出している。
【手続補正３】
【補正対象書類名】明細書
【補正対象項目名】０００３
【補正方法】変更
【補正の内容】
【０００３】
光ファイバアッセンブリの外部接続用コネクタを、電子機器のホスト基板の相手側コネクタに位置合わせし、その状態で光ファイバアッセンブリをホスト基板側へ押し付ける。これにより、相手側コネクタが外部接続用コネクタ内に嵌合し、光ファイバアッセンブリがホスト基板に接続される。
【手続補正４】
【補正対象書類名】明細書
【補正対象項目名】００１３
【補正方法】変更
【補正の内容】
【００１３】
カバーの第１取付部は、カバー本体から基板側へ延びた一対の第１脚部を有する構成とすることが可能である。一対の第１脚部のうちの一方の第１脚部が、第２方向の一方側に凸の横向き略Ｕ字状の一方の第１フックを有し、他方の第１脚部が、第２方向の他方側に凸の横向き略Ｕ字状の他方の第１フックを有する構成とすることが可能である。一方の第１フックは、基板の第１被取付部の第１端部が嵌合しており且つ一方の第１ストッパーに対して第１方向の一方側から当接しており、他方の第１フックは、基板の第１被取付部の第２端部が嵌合しており且つ他方の第１ストッパーに対して第１方向の一方側から当接している構成とすることが可能である。
【手続補正５】
【補正対象書類名】明細書
【補正対象項目名】００１４
【補正方法】変更
【補正の内容】
【００１４】
カバーの第２取付部は、カバー本体から基板側へ延びた一対の第２脚部を有する構成とすることが可能である。一対の第２脚部のうちの一方の第２脚部が、第２方向の一方側に凸の横向き略Ｕ字状の一方の第２フックを有し、他方の第２脚部が、第２方向の他方側に凸の横向き略Ｕ字状の他方の第２フックを有する構成とすることが可能である。一方の第２フックは、基板の第２被取付部の第１端部が嵌合しており且つ一方の第２ストッパーに対して第１方向の他方側から当接しており、他方の第２フックは、基板の第２被取付部の第２端部が嵌合しており且つ他方の第２ストッパーに対して第１方向の他方側から当接している構成とすることが可能である。
【手続補正６】
【補正対象書類名】明細書
【補正対象項目名】００１８
【補正方法】変更
【補正の内容】
【００１８】
【図１Ａ】本発明の実施例１に係る光ファイバアッセンブリの正面、平面および右側面から表した斜視図である。
【図１Ｂ】前記アッセンブリの背面、底面および右側面から表した斜視図である。
【図２Ａ】前記アッセンブリの図１Ａ中の２Ａ−２Ａ断面図であると共に、前記アッセンブリが接続される電子機器のホスト基板および接続部を破線で示した図である。
【図２Ｂ】前記アッセンブリの図１Ａ中の２Ｂ−２Ｂ断面図である。
【図２Ｃ】前記アッセンブリの図１Ａ中の２Ｃ−２Ｃ断面図である。
【図３Ａ】前記アッセンブリの正面、平面および右側面から表した分解斜視図である。
【図３Ｂ】前記アッセンブリの背面、底面および右側面から表した分解斜視図である。
【図４】本発明の実施例２に係る光ファイバアッセンブリの正面、平面および右側面から表した斜視図である。
【図５】前記アッセンブリの図４Ａ中の５−５断面図である。
【図６】アッセンブリの正面、平面および右側面から表した分解斜視図である。
【手続補正７】
【補正対象書類名】明細書
【補正対象項目名】００３７
【補正方法】変更
【補正の内容】
【００３７】
ｄ）第１脚部６２１ａ、６２１ｂに係合孔が設けられており、基板１００の第１被取付部１３０の第１、第２端部の端面（例えば、第１端部のＸ方向の端面、第２端部のＸ’方向の端面または第１端部のＹ方向の端面、第２端部のＹ方向の端面）に係合突部が設けられており、第１被取付部１３０の第１、第２端部の係合突部が第１脚部６２１ａ、６２１ｂの係合孔に各々嵌合（ｆｉｔ  ｉｎ）すると共に、第１脚部６２１ａ、６２１ｂが第１被取付部１３０の第１、第２端部の端面に各々当接している。なお、係合孔が第１被取付部１３０の第１、第２端部の端面に設けられ、係合突部が第１脚部６２１ａ、６２１ｂに設けられていても良い。なお、第１脚部６２１ａ、６２１ｂにおいて、ｄ）の構成は、ａ）またはｂ）の構成と併用できる。
【手続補正８】
【補正対象書類名】明細書
【補正対象項目名】００４０
【補正方法】変更
【補正の内容】
【００４０】
ｂ）第２脚部６３１ａ、６３１ｂは、上記ｂ）の構成の第１脚部６２１ａ、６２１ｂとＹ−Ｙ’方向において対称形状とすることが可能である。第２脚部６３１ａ、６３１ｂの第２フックは、Ｙ’方向に凸の横向き略Ｕ字状であって、第２フック内にＹ方向側から基板１００の第２被取付部１４０の第１、第２端部が各々嵌合している。
【手続補正９】
【補正対象書類名】明細書
【補正対象項目名】００４２
【補正方法】変更
【補正の内容】
【００４２】
ｄ）第２脚部６３１ａ、６３１ｂは、第１脚部６２１ａ、６２１ｂの上記ｄ）と同様の構成とすることが可能である。すなわち、第２脚部６３１ａ、６３１ｂの係合孔に、基板
１００の第２被取付部１４０の第１、第２端部の端面（例えば、第１端部のＸ方向の端面、第２端部のＸ’方向の端面または第１端部のＹ’方向の端面、第２端部のＹ’方向の端面）の係合突部が各々嵌合（ｆｉｔ  ｉｎ）すると共に、第２脚部６３１ａ、６３１ｂが第２被取付部１４０の第１、第２端部の端面に各々当接している。なお、係合孔が第２被取付部１４０の第１、第２端部の端面に設けられ、係合突部が第２脚部６３１ａ、６３１ｂに設けられていても良い。なお、第２脚部６３１ａ、６３１ｂにおいて、ｄ）の構成は、上記ａ）またはｂ）の構成と併用できる。
【手続補正１０】
【補正対象書類名】明細書
【補正対象項目名】００４６
【補正方法】変更
【補正の内容】
【００４６】
１）基板１００は、図１Ａ〜図３Ｂに示すように、第１被取付部１３０と第２被取付部１４０との間に中間部を有する場合、基板１００の中間部のＸ−Ｘ’方向の寸法は、第１被取付部１３０のＸ−Ｘ’方向の寸法および第２被取付部１４０のＸ−Ｘ’方向の寸法よりも大きく、且つ基板１００の中間部のＹ−Ｙ’方向の寸法は、第１脚部６２１ａの第１フック６２２ａから第２脚部６３１ａの第２フック６３２ａまでのＹ−Ｙ’方向の距離とほぼ同じであると共に、第１脚部６２１ｂの第１フック６２２ｂから第２脚部６３１ｂの第２フック６３２ｂまでのＹ−Ｙ’方向の距離とほぼ同じである。この場合、中間部のＹ方向およびＸ方向側の角部が第１ストッパー１５０ａとなり、中間部のＹ方向およびＸ’方向側の角部が第１ストッパー１５０ｂとなり、中間部のＹ’方向およびＸ方向側の角部が第２ストッパー１６０ａとなり、中間部のＹ’方向およびＸ’方向側の角部が第２ストッパー１６０ｂとなる。この場合、第１ストッパー１５０ａは、第１被取付部１３０の第１端部よりもＸ方向側に凸であり、第１ストッパー１５０ｂは、第１被取付部１３０の第２端部よりもＸ’方向側に凸であり、第２ストッパー１６０ａは、第２被取付部１４０の第１端部よりもＸ方向側に凸であり、第２ストッパー１６０ｂは、第２被取付部１４０の第２端部よりもＸ’方向側に凸である。
【手続補正１１】
【補正対象書類名】明細書
【補正対象項目名】００４８
【補正方法】変更
【補正の内容】
【００４８】
第１取付部６２０の第１脚部６２１ａ、６２１ｂの第１フック６２２ａ、６２２ｂが上記何れかの態様の第１ストッパー１５０ａ、１５０ｂに対してＹ方向側から各々当接しており、第２取付部６３０の第２脚部６３１ａ、６３１ｂの第２フック６３２ａ、６３２ｂが上記何れかの態様の第２ストッパー１６０ａ、１６０ｂに対してＹ’方向側から各々当接している。
【手続補正１２】
【補正対象書類名】明細書
【補正対象項目名】００５２
【補正方法】変更
【補正の内容】
【００５２】
３）アッセンブリＡ１の製造を柔軟に行うことができる。なぜなら、基板１００の第２面１２０の第３領域１２１は空き領域であるため、外部接続部５００を基板１００の第２面１２０の第４領域１２２上に実装した前後の何れであっても、基板１００の第３領域１２１を台に載置し、少なくとも一つの変換部２００および回路部４００を基板１００の第１面１１０の第１領域１１１上に実装することができる。少なくとも一つの回路部４００および基板１００がワイヤーボンディグで接続される場合、基板１００の第３領域１２１をＺ’方向側からヒーター加熱することができるので、ワイヤーボンディグの接続を容易に行うことができる。
【手続補正１３】
【補正対象書類名】明細書
【補正対象項目名】００５６
【補正方法】変更
【補正の内容】
【００５６】
以下、本発明の実施例２を含む複数の実施例に係る光ファイバアッセンブリＡ２（以下、単にアッセンブリＡ２とも称する。）ついて、図４〜図６を参照しつつ説明する。なお、図４〜図６は、実施例２に係るアッセンブリＡ２が示されている。図４および図６には、アッセンブリＡ１と同様に、Ｙ−Ｙ’方向が示されており、図４〜図６には、アッセンブリＡ１と同様に、Ｘ−Ｘ’方向およびＺ−Ｚ’方向が示されている。
【手続補正１４】
【補正対象書類名】明細書
【補正対象項目名】００６２
【補正方法】変更
【補正の内容】
【００６２】
第２取付部６３０’は、一対の第２脚部６３１ａ’、６３１ｂ’を有している。第２脚部６３１ａ’、６３１ｂ’は、少なくとも一つの変換部２００、光ファイバ３００および回路部４００に対して非接触となるように、カバー本体６１０の第２カバー部６１２のＸ方向側の端、Ｘ’方向側の端から基板１００側に各々延び且つ固定部７００ａ、７００ｂの固定部本体７２０ａ、７２０ｂに各々固定されている。具体的には、第２脚部６３１ａ’、６３１ｂ’は、下記ａ）またはｂ）のとおりに、固定部本体７２０ａ、７２０ｂに固定されていると良いが、これに限定されるものではない。
ａ）固定部７００ａ、７００ｂは、Ｘ−Ｘ’方向において対称形状であって、ガイド部７３０ａ、７３０ｂをさらに有している。固定部７００ａ、７００ｂのベース７１０ａ、７１０ｂは、上記１）のとおりに基板１００の第２領域１１２上に固定されており、固定部本体７２０ａ、７２０ｂはベース７１０ａ、７１０ｂのＸ−Ｘ’方向の両端のうちの一端に設けられ、ガイド部７３０ａ、７３０ｂはベース７１０ａ、７１０ｂの他端に設けられている。ガイド部７３０ａ、７３０ｂは、Ｚ−Ｚ’方向の断面視において横向き略Ｕ字状である。第２脚部６３１ａ’、６３１ｂ’は、Ｘ−Ｘ’方向において対称形状であり且つＺ−Ｚ’方向の断面視において略Ｌ字状であって、当接部と、ランナー部とを各々有している。当接部は、固定部本体７２０ａ、７２０ｂに各々外側から当接している。ランナー部は、ガイド部７３０ａ、７３０ｂ内をＹ−Ｙ’方向に各々移動自在に挿入されている。ランナー部およびガイド部７３０ａ、７３０ｂの何れか一方には、係合突部が設けられており、他方に係合孔が設けられている。係合突部が係合孔に各々係合されている。図４〜図６では、ランナー部の係合突部６３２ａ’、６３２ｂ’が、ガイド部７３０ａ、７３０ｂの係合孔７３１ａ、７３１ｂに嵌合している。なお、固定部７００ａ、７００ｂにランナー部が各々設けられる一方で、第２脚部６３１ａ’、６３１ｂ’に前記ランナー部をガイド可能なガイド部が各々設けられていても良い。
ｂ）第２脚部６３１ａ’、６３１ｂ’は、固定部７００ａ、７００ｂの固定部本体７２０ａ、７２０ｂに外側または内側から各々当接している。第２脚部６３１ａ’、６３１ｂ’および固定部７００ａ、７００ｂの固定部本体７２０ａ、７２０ｂの何れか一方には、係合突部が設けられており、他方に係合孔が設けられている。係合突部が係合孔に各々係合されている。
以上のとおり第２脚部６３１ａ’、６３１ｂ’は、固定部７００ａ、７００ｂを介して基板１００の第２領域１１２に間接的に固定されている。